(57)【特許請求の範囲】
【請求項１】
管理者が、予め各部屋の客室錠の記憶手段に管理者側の抹消用番号Ｚ及び暗証番号Ｘをそれぞれ設定登録する際には、扉の室内側Ｂ１に設けられた設定スイッチ８と、扉の室外側Ａ１に設けられたテンキーボード４のテンキー６とをそれぞれ利用して設定登録する抹消用番号設定登録工程Ａ及び暗証番号設定登録工程Ｂと、次に、宿泊者が管理者から割当てられた部屋の当該客室錠に対する前記暗証登録番号Ｘと宿泊者自身が任意に決定する自己暗証番号Ｙとを、前記テンキー６を操作してそれぞれ入力し、宿泊中は前記自己暗証番号Ｙを以後施・解錠用番号として利用することができるように当該客室錠の記憶手段に設定登録する施・解錠用番号設定登録工程Ｃと、次に、宿泊者が帰った後、管理者が前記テンキー６を操作して前記抹消用番号Ｚを入力し、当該客室錠の記憶手段に設定登録された施・解錠用番号Ｙを抹消する施・解錠用番号抹消工程Ｄとを備える宿泊施設の客室錠における施・解錠方法。
【発明の詳細な説明】
【０００１】
【発明の属する技術分野】
本発明は、リゾートホテル、旅館などの各部屋の扉に設けられたテンキーボードのテンキーを操作する宿泊施設の客室錠における施・解錠方法に関する。
【０００２】
【従来の技術】
従来、特にセキュリティーを重視するビル、工場などの部屋の扉にはテンキーボードを取付け、そのテンキーを操作して扉錠を施錠及び解錠（以下、「施・解錠」という。）している。
【０００３】
本発明とは出発点は同一ではない（宿泊施設の客室錠ではない）が、２つの暗証番号を用いて扉錠を施・解錠することができる実施例がある。それは特公平４−４１２３０号である。この公報記載の実施例は、例えば工場などの一つの管理対象である部屋に複数人の会計担当者Ｘとその部屋の管理責任者Ｙとが出入りする場合に於いて、２つの暗証番号を用いることとしている。
【０００４】
しかして、一方の暗証番号Ｂは、従来通り複数人の会計担当者Ｘが共通的に使用することができる施・解錠用暗証番号とし、一方、管理責任者Ｙのマスターキー的暗証番号Ａは、前記一方の暗証番号Ｂに優越してロック及びアンロックすることができる優先施・解錠用暗証番号とする。
【０００５】
したがって、上記実施例にあっては、管理責任者Ｙが暗証番号Ａをテンキーボードのテンキーを操作して入力すると、その入力信号と記憶部に予め記憶されているＡ暗証番号識別部の設定情報とが一致すると、制御部は判定回路の「優越ＯＫ」の判定結果に基づき扉錠を施・解錠する。
【０００６】
しかしながら、上記実施例は、２つの暗証番号を用いて施・解錠するというものの、普通一般に暗証番号を長い間変更しないという習慣並びにテンキーボードのモード状態を切換えた上で「会計担当者Ｘ側の暗証番号Ｂ」又は「管理責任者Ｙの暗証番号Ａ」をそれぞれ入力するために暗証番号の解読が容易であるという問題点があった。また年月を問わず一つの部屋に１日又は２日程度不特定多数のお客が次々と宿泊するような宿泊施設の客室錠に適用するには不向きであるという問題点もあった。
【０００７】
【発明が解決しようとする課題】
本発明は以上のような従来の問題点に鑑み、第１の目的は、宿泊者が、例えばホテルのフロント係から割当てられた部屋の客室錠に対して、二つの暗証番号を用いて任意に施・解錠用番号を設定することができ、以後、宿泊中は当該施・解錠用番号を自由に使用することができる反面、当該宿泊者以外は、その部屋に設定登録した施・解錠用番号を知らない限り、誰も（管理人であっても）解錠することができないことを目的とする。また第２の目的は、宿泊者が帰った後に、管理者が前の宿泊者が設定登録した当該施・解錠用番号をテンキーボードのテンキーを操作することにより簡単に抹消することができることを目的とする。第３の目的は、客室錠に対して管理者が管理者側の抹消用番号及び暗証登録用番号の各設定登録を容易に行うことができることである。第４の目的は、演算処理装置の記憶手段の制御プログラムに対してコンピュータを機能させる複雑化な手段（プログラム）を設定する必要がないことである。
【０００８】
【課題を解決するための手段】
本発明の宿泊施設の客室錠における施・解錠方法は、管理者が、予め各部屋の客室錠の記憶手段に管理者側の抹消用番号Ｚ及び暗証番号Ｘをそれぞれ設定登録する際には、扉の室内側Ｂ１に設けられた設定スイッチ８と、扉の室外側Ａ１に設けられたテンキーボード４のテンキー６とをそれぞれ利用して設定登録する抹消用番号設定登録工程Ａ及び暗証番号設定登録工程Ｂと、次に、宿泊者が管理者から割当てられた部屋の当該客室錠に対する前記暗証登録番号Ｘと宿泊者自身が任意に決定する自己暗証番号Ｙとを、前記テンキー６を操作してそれぞれ入力し、宿泊中は前記自己暗証番号Ｙを以後施・解錠用番号として利用することができるように当該客室錠の記憶手段に設定登録する施・解錠用番号設定登録工程Ｃと、次に、宿泊者が帰った後、管理者が前記テンキー６を操作して前記抹消用番号Ｚを入力し、当該客室錠の記憶手段に設定登録された施・解錠用番号Ｙを抹消する施・解錠用番号抹消工程Ｄとを備えることを特徴とする。
【０００９】
上記構成に於いて、管理者側の抹消用番号及び暗証番号を設定登録する際には、扉の室内側Ｂ１に設けられた設定スイッチ８と、扉の室外側Ａ１に設けられたテンキーボード４のテンキー６とをそれぞれ利用して一連の設定行為の流れで行うことを特徴とする。
【００１０】
【発明の実施の形態】
図１は本発明の工程図である。図２乃至図１２図は本発明の各工程の中身を具体的に説明する各説明図である。まず図２，図３などの図面を参照にして発明の実施形態の環境を説明した後に本発明の各工程を順番に説明する。
【００１１】
「実施形態の環境」
まず図２は、宿泊施設（例えばリゾートホテル）の各客室（それぞれの部屋）１の扉２にそれぞれ取付けられた客室錠３を示す。図２は扉側面から見た説明図であるが、この図２を基準にすると、左側が室外側Ａ１、一方、右側が室内側Ｂ１に相当する。図３は室外側から見たテンキーボードの説明図、図４は室内側から見た設定手段８の説明図である。
【００１２】
次に本発明に関連するハード部分の構成を簡単に説明する。図３で示すように、４は扉の室外側Ａ１の外壁面２ａに固定的に取り付けられたテンキーボードで、このテンキーボード４のテンキー面５には、複数個のテンキー６が設けられている。なお、テンキーボード４にはテンキーカバー７が開閉自在に軸支されている。
【００１３】
また図４で示すように、扉の室内側Ｂ１の内壁面２ｂには、管理者が後述する抹消用番号、暗証番号などを設定する際に利用する設定手段（本実施例では設定スイッチ等）８が設けられている。９は設定手段８の近傍に装着された内部電源（例えば電池）である。なお、図２に於いて、１０はフロント、１１は施錠片の一例としてのデッドボルト、１２はラッチボルト、１３は室外側エスカチオン、１４は室内側エスカチオン、１５は外側レバーハンドル、１６はサムターン、１７は内側レバーハンドルである。
【００１４】
「本発明に使用される装置」
図５は本発明に使用される装置を示す。２０は各種の装置ないし手段と電気的に接続する演算処理装置（「ＣＰＵ」）である。この演算処理装置２０は、例えば客室錠３の錠機構を有する錠本体２１内に、図示しないプリント基板を介して設けられている。演算処理装置２０は、記憶手段２２に格納された制御プログラム２３のコンピュータを機能させる複数の手段２４に基づき各種の制御信号を出力する。ここで制御信号について説明する。
【００１５】
各種の制御信号としては、例えば制御プログラム２３の手順に基づき管理者側の抹消用番号Ｚ及び暗証番号Ｘを設定登録するための設定登録用信号、宿泊者が管理者側から教えてもらった前記暗証番号Ｘと宿泊者自身が任意に設定した個別的な暗証番号Ｙとを照合・判別回路２８に出力する判別用情報信号、照合・判別回路２８が前記各暗証番号に基づき、以後宿泊者自身が任意に決定した暗証番号を管理者側から教えてもらった前記暗証番号より優越ＯＫと判別した信号を記憶手段２２に登録するための優越用信号、以後宿泊者が優越信号を入力手段（テンキー）６に入力すると、錠本体２１の施錠片１１を施・解錠する信号（施錠信号，解錠信号）、宿泊者が帰った後に管理者側が前記入力手段６に抹消用番号Ｚを入力すると、既に登録されている宿泊者の優越データ（施・解錠信号）Ｙを抹消するための抹消用信号などである。
【００１６】
また各種の制御信号には、設定スイッチ８を「ＯＮ」又は／及びテンキー面５にタッチすると、テンキーボード４にテンキー６が現れるように表示手段２６に出力する表示用信号、各種のモード状態保持するようにモード状態保持回路２７に出力するモード保持信号、各種の信号を照合しかつ判別するように前述した照合・判別回路２８に出力する判別用信号など本発明の各工程を実行するために必要な各種の信号がある。
【００１７】
したがって、演算処理装置２０は、各装置（手段）からの各種入力信号に基づいてそれぞれ演算し、特に本実施例では「施錠制御手段」並びに「解除制御手段」としての中心的な役割を果たす。
【００１８】
また演算処理装置２０には、本発明の特定要件との関係で、演算処理装置２０を機能させるための手段、例えば暗証番号登録手段２９、施・解錠用番号抹消手段３０などが電気的に接続している。なお、演算処理装置２０は、当然、電源（外部電源）３１に接続している。次に本発明の各工程を説明する。
【００１９】
「Ａ工程…抹消用番号設定登録工程」
この抹消用番号設定登録工程Ａは、宿泊者が宿泊の際に割当てられた部屋１の当該客室錠３に対して宿泊者自身が任意に設定した任意的暗証番号（これが以後「施・解錠番号」となる。）Ｙを、管理者が室外側Ａに設けられたテンキーボード４の複数個のテンキー６を操作して消去することができるように予め設定手段８を介して各客室錠３の記憶手段２２に抹消用番号Ｚを設定登録する。
【００２０】
「Ｂ工程…暗証番号設定登録工程」
この暗証番号設定登録工程Ｂは、管理者が不特定多数の宿泊者が利用する各部屋１の客室錠３に対し、予め設定手段８を介して各客室錠３の記憶手段２２に個別的な暗証登録番号Ｘを設定登録する。この場合本実施例では、管理者側の抹消用番号Ｚ及び暗証番号Ｘを設定登録する際には、扉の室内側Ｂ１に設けられた設定スイッチ８と、扉の室外側Ａ１に設けられたテンキーボード４のテンキー６とをそれぞれ利用して一連の設定行為の流れで行う。
【００２１】
図６は、例えばホテルの管理者が予め客室錠３に対して「抹消用番号Ｚ」並びに「暗証番号Ｘ」をそれぞれ設定登録する場合の流れを示す説明図である。なお、図７は、特に抹消用番号Ｚを設定登録する場合の一例であるが、これは暗証番号Ｘを設定登録する場合も同様である。図６を参照に各ステップを説明する。
【００２２】
（１）図６に於いて、ステップのＳ１では、設定スイッチ８を「ＯＮ」にする。この場合管理者は、室外側Ａ１のテンキーカバー７と室内側Ｂ１の電池カバーをそれぞれ開け、内部電源９横の設定スイッチ８を押す。そうすると、テンキーボード４のテンキー面５は抹消用番号登録モード（Ｓ２）となると共に、図７で示すようにアドレス（例えば２，４，６，８）が表示される。本実施例では番号点滅であれば「抹消用番号」を設定登録することが可能になり、一方、番号点灯であれば、すでに登録してある抹消用番号を書き替えることができる。そこで、管理者は、前記番号点滅を利用してアドレスに「２」、「４」、「６」、「８」というように抹消用番号を設定する（Ｓ３）。なお、管理者は、抹消用番号を任意の桁数（最大１０桁）に設定することができるが、ここでは説明の便宜上「４桁」にする。そして、管理者は、テンキー面５に向って入力した前記抹消用番号を決定（選択実行Ｓ４）する場合には、テンキー「Ｅ」６ａに軽くタッチする。そうすると、抹消用番号は演算処理装置２０を介して記憶手段２２に登録され、登録されるや否やテンキー面５には「ＹＥＳ」の文字が表示（Ｓ５）され、その後、自動的にアドレス画面表示（Ｓ６）に戻る。
【００２３】
（２）次にアドレス画面表示（Ｓ６）に戻ると、本実施例ではテンキーボード４のテンキー面５は、今度は自動的に暗証番号登録モード（Ｓ７）に切り替わると共に、暗証番号用のアドレス（例えば１，２，３，４）が表示される。本実施例では番号点滅であれば「暗証番号」を設定登録することが可能になり、一方、番号点灯であれば、すでに登録してある暗証番号を書き替えることができる。この点は抹消用番号を設定する場合と同様である。そこで、管理者は、前記番号点滅を利用してアドレスに、例えば「１」、「２」、「３」、「４」というように暗証番号Ｘを設定する（Ｓ８）。以後は抹消用番号Ｚを登録した場合と同様であり、登録実行する場合（Ｓ９）はテンキー「Ｅ」６ａにタッチする。そうすると、当該客室錠３の暗証番号Ｘは演算処理装置２０を介して記憶手段２２に登録され、登録されるや否やテンキー面５には「ＹＥＳ」の文字が表示（Ｓ１０）それ、その後、例えば所定時間（例えば１０秒以上）経過すると（Ｓ１１）と、「抹消用番号Ｚ」並びに「暗証番号Ｘ」がそれぞれ確定した状態で終了となる。
【００２４】
「Ｃ工程…施・解錠用番号設定登録工程」
この施・解錠用番号設定登録工程Ｃは、宿泊の際、宿泊者が管理者から割当てられた部屋１の当該客室錠３に対する「個別的な暗証登録番号Ｘ」と「宿泊者自身が任意に決定する自己暗証番号Ｙ」とを、テンキーボード４の複数個のテンキー６を操作してそれぞれ入力し、宿泊中は前記自己暗証番号Ｙを以後施・解錠用番号として利用することができるように当該客室錠３の記憶手段２２に設定登録する。
【００２５】
ここで図８を参照に概略的な流れを説明する。まず宿泊者ａがホテルの玄関ｂから入って来てフロント係ｃで受付をし、その際にフロント係ｃから割当てられた部屋１の「登録済み暗証番号Ｘ」を教えてもらう。次に宿泊者ａは部屋１まで行き、扉１の客室錠３の室外側Ａ１で、テンキーボード４のテンキー面５にタッチし、「登録済み暗証番号Ｘ」と「自己暗証番号Ｙ」の両方を連続的に入力する。この場合フロント係ｃは、当該宿泊者ａに対して暗証番号や操作の手順を記載した説明書１９を渡す。
【００２６】
図９及び図１０は、宿泊者ａさんが客室錠３に対して「登録済み暗証番号Ｘ」と「自己暗証番号Ｙ」をそれぞれ入力する場合の流れを示す説明図である。
【００２７】
（１）図９に於いて、ステップのＳ２１ではテンキーボード４のテンキーカバー７を開け、テンキー面５にタッチする。そうすると、テンキー（テンキー入力可能画面）６が現れる。この場合本実施例では「ランダム方式」と言って、キー「Ｃ」６ｂをランダムテンキー表示中に押すと、テンキー表示がプッシュホン配列に変る。プッシュホン配列に変ると同じにテンキー面５は暗証番号入力モード（Ｓ２２）となる。これによりまず「登録済み暗証番号Ｘ」を入力することが可能になる。そこで、宿泊者ａは、フロント係ｃから教えてもらった暗証番号Ｘ、たとえば「１」、「２」、「３」、「４」を入力（タッチ）する。次に宿泊者ａは入力した暗証番号Ｘが正しければ入力決定するためにキー「Ｅ」６ａを押す（選択実行Ｓ２４）する。そうすると、暗証番号Ｘの情報は、演算処理装置２０を介して記憶手段２２に送られ、かつ、照合・判別回路２８が該情報と記憶されている情報とを突き合わせて判別する。照合・判別回路２８での判別結果が「ＯＫ」であれば、テンキー面５には「ＹＥＳ」の文字が表示（Ｓ２５）され、その後、所定時間（例えば３０秒間）だけ元のテンキー（テンキー入力可能画面）６が現れている（Ｓ２６）。
【００２８】
（２）この時テンキー面５は、自動的に施・解錠番号入力モードに切り替わっている（Ｓ２７）。そこで、宿泊者ａは、テンキー６が現れている間に任意に自己の好きな番号を「自己暗証番号Ｙ」して入力する（Ｓ２８）。ここでは自己暗証番号Ｙを、「５」、「８」、「６」、「３」の４桁とする。宿泊者ａは、テンキーボード４のテンキー６を操作してこれらの番号をそれぞれ入力したならば、キー「Ｅ」６ａに再びタッチして入力決定する（Ｓ２９）。そうすると、自己暗証番号Ｙの情報は、演算処理装置２０を介して記憶手段２２に送られる。そして、登録が「ＯＫ」であれば、テンキー面５には「ＹＥＳ」の文字が表示（Ｓ３０）され、その後、所定時間（例えば１０秒間）経過すると（Ｓ３１）すると、宿泊者ａは、以後宿泊中は前記自己暗証番号Ｙを施・解錠用番号として利用することができるようになる。
【００２９】
「Ｄ…施・解錠用番号抹消工程」
この施・解錠用番号抹消工程Ｄは、宿泊者ａが帰った後、管理者ｄがテンキーボード４のテンキー６を操作して抹消用番号Ｚを入力し、当該客室錠３の記憶手段２２に設定登録された施・解錠用番号Ｙを抹消する。
【００３０】
図１１及び図１２は、宿泊者ａさんがフロント係ｃに対するチェックアウトを済ませて帰った後に、管理者（ここでは清掃人もむ含む）ｄが錠本体２１用の子鍵３５を所持して当該客室錠３まで行き、「抹消用番号Ｚ」を入力する場合の流れを示す説明図である。以下、簡単にポントを整理して説明する。
【００３１】
（１）図１２に於いて、ステップのＳ４１では、管理者ｄがテンキー面５にタッチする。この場合管理者ｄはテンキー「Ｃ」６ｂを長く押す（例えば８秒以上）。そうすると、テンキー面５は抹消用番号入力モードに切り替わる（Ｓ４２）。そこで、管理者ｄは、抹消用番号Ｚを入力する（Ｓ４３）。ここでは抹消用番号Ｚを、「２」、「４」、「６」、「８」の４桁としている。管理者ｄは、これらの番号をそれぞれ入力したならば、キー「Ｅ」６ａを押す（Ｓ４３）。
【００３２】
（２）そうすると、抹消用番号Ｚの情報は、演算処理装置２０を介して記憶手段２２に送られる。そこで、照合・判別回路２８は該情報と既に記憶されている抹消用番号の情報とを突き合わせて判別をする。照合・判別回路２８での判別結果が「ＯＫ」であれば、演算処理装置２０は宿泊者ａが登録した自己暗証番号Ｙ（施・解錠用番号）を施・解錠用番号抹消手段２９を介して抹消する（Ｓ４４）。したがって、以後、新しい宿泊者が来た場合には、新たな自己暗証番号の設定（新たな施・解錠用番号）の設定登録が可能な状態となる。
【００３３】
「Ｅ…開扉工程」
この開扉工程Ｅは、当該客室錠３の子鍵又はマスターキーとしての子鍵３５を用いて錠本体２１の施錠片１１を解錠して扉を開く。ところで、前述した施・解錠用番号抹消工程Ｄでは、宿泊者ａが登録した自己暗証番号（施・解錠用番号）Ｙを抹消することができると言うものの、部屋１の中に管理者ｄが入るためには、錠本体３の施錠片１１のロック関係を考慮する必要がある。そこで、本実施例では前記子鍵３５を利用して錠本体２１を解錠する。
【００３４】
【実施例】
実施例に於いて、管理者ｄが錠本体３を解錠状態にして部屋１の扉２を開扉するためには、記憶手段２２の制御プログラム２３が複雑化するが、「個別的な暗証番号Ｘ」に優越するマスター用暗証番号を予め制御プログラム２３に設定することも可能である。また、抹消用番号及び個別的な暗証番号を設定登録する場合の設定手段は、いたずらされる危険性があるものの、テンキーボード４のテンキー６のみを利用しても良い。付言すると、管理者側の抹消用番号Ｚ及び暗証番号Ｘをそれぞれ設定登録する際、扉の室内側Ｂ１に設けられた設定スイッチ８と、扉の室外側Ａ１に設けられたテンキーボード４のテンキー６とをそれぞれ利用して設定登録すると、設定が外部からいたずらされる危険性がない。
【００３５】
【発明の効果】
以上の説明から明らかなように、本発明にあっては、次に列挙するような効果がある。
（１）宿泊者が、例えばホテルのフロント係から割当てられた部屋の客室錠に対して、２つ以上の暗証番号を用いて任意に施・解錠用番号を設定することができ、以後、宿泊中は当該施・解錠用番号を自由に使用することができる反面、当該宿泊者以外は、その部屋に設定登録した施・解錠用番号を知らない限り、誰も（管理人であっても）解錠することができない。
（２）宿泊者が帰った後に、管理者が前の宿泊者が設定登録した当該施・解錠用番号をテンキーボードのテンキーを操作することにより簡単に抹消することができる。したがって、新しい宿泊者が来た場合には、新たな自己暗証番号の設定（新たな施・解錠用番号）の登録が可能な状態となる。
（３）客室錠に対して管理者が抹消用番号及び登録用番号の各設定登録を容易に行うことができる。
（４）その他演算処理装置の記憶手段の制御プログラムに対して、例えば宿泊者が泊まる西暦や日付を要素としたアドレステーブル、部屋番号テーブル、暗証番号類推テーブルなどを関連付けた複雑化手段を格納する必要がない。
【図面の簡単な説明】
図１乃至図１２は本発明の一実施例を示す各説明図。
【図１】本発明の工程図。
【図２】扉側面から見た客室錠の説明図。
【図３】室外側から見たテンキーボードの説明図。
【図４】図４は室内側から見た設定手段８の説明図。
【図５】本発明に用いられる装置の概略説明図。
【図６】抹消用番号及び暗証番号をそれぞれ設定登録する流れを示す説明図。
【図７】抹消用番号（暗証番号も同様む）を設定登録する場合の説明図。
【図８】施・解錠用番号設定登録工程の漫画的説明図。
【図９】宿泊者が施・解錠用番号を設定登録する流れを示す説明図。
【図１０】宿泊者が任意の暗証番号（施・解錠用番号）を入力する場合の説明図。
【図１１】施・解錠用番号抹消工程の漫画的説明図。
【図１２】管理者が抹消用番号を入力して施・解錠番号を抹消する流れを示す説明図。
【符号の説明】
Ａ…抹消用番号設定登録工程、Ｂ…暗証番号設定登録工程、Ｃ…施・解錠用番号設定登録工程、Ｄ…施・解錠用番号抹消工程、Ｅ…開扉工程、Ａ１…室外側、Ｂ１…室内側、Ｘ…個別的な暗証登録番号、Ｙ…自己暗証番号（施・解錠用番号）、Ｚ…抹消用番号、１…各客室、２…扉、３…客室錠、４…テンキーボード、５…テンキー面、６…テンキー、８…設定手段、９…内部電源、１１…デッドボルト、１２…ラッチボルト、２０…演算処理装置、２１…錠本体、２２…記憶手段、２３…制御プログラム、２４…コンピュータ用複数の手段、２６…表示手段、２７…モード状態保持回路、２８…照合・判別回路、２９…暗証番号登録手段、３０…施・解錠番号抹消手段、３１…電源、ａ…宿泊者、ｃ…フロント係、ｄ…管理者。
【図１】
0004222718.tif 000002
【図２】
0004222718.tif 000003
【図３】
0004222718.tif 000004
【図４】
0004222718.tif 000005
【図５】
0004222718.tif 000006
【図６】
0004222718.tif 000007
【図７】
0004222718.tif 000008
【図８】
0004222718.tif 000009
【図９】
0004222718.tif 000010
【図１０】
0004222718.tif 000011
【図１１】
0004222718.tif 000012
【図１２】
0004222718.tif 000013